【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
複数の像担持体と、
複数の前記像担持体の夫々に形成された潜像を現像剤によって現像する複数の現像部材と、複数の前記現像部材と複数の前記像担持体とを選択的に当接及び離間させる第１当接離間手段と、
前記像担持体に現像された画像を転写材に転写するために、該転写材を搬送する搬送手段と、
前記搬送手段に対して複数の前記像担持体を選択的に当接及び離間させる第２当接離間手段と、
複数の前記像担持体と複数の前記現像部材とを駆動するための複数の駆動手段と、
複数の前記像担持体の全てを用いて画像形成する第１画像形成モードと、複数の前記像担持体の１つを用いて画像形成する第２画像形成モードと、を切り替える制御手段と、を有し、
前記制御手段は、前記第２画像形成モード時に、前記第１当接離間手段によって、複数の前記現像部材のうち画像形成に用いられない現像部材を像担持体から離間するように制御し、かつ、前記第２当接離間手段によって、全ての前記像担持体を前記搬送手段に当接させるよう制御することを特徴とする画像形成装置。
【請求項２】
前記制御手段は、前記第２画像形成モード時に、前記転写材が所定の種類の転写材であって、かつ、前記装置の設置環境が高温高湿環境である場合には、前記第１当接離間手段によって、全ての前記現像部材を前記像担持体に当接するように制御、かつ、前記第２当接離間手段によって、全ての前記像担持体を前記搬送手段に当接させるよう制御することを特徴とする請求項１に記載の画像形成装置。
【請求項３】
前記制御手段は、前記第１画像形成モード時には、前記第１当接離間手段によって、全ての前記現像部材を前記像担持体に当接するように制御、かつ、前記第２当接離間手段によって、全ての前記像担持体を前記搬送手段に当接させるよう制御することを特徴とする請求項１または２のいずれかに記載の画像形成装置。
【請求項４】
複数の前記像担持体は、複数色の画像をそれぞれ形成するための像担持体であり、前記第１画像形成モードとは、複数色の画像を形成するモードであり、前記第２画像形成モードとは、単色の画像を形成するモードであることを特徴とする請求項１〜３のいずれか１項に記載の画像形成装置。
【請求項５】
前記第２画像形成モードにおける画像形成速度は、前記第１画像形成モードの画像形成速度よりも速い速度であることを特徴とする請求項１〜４のいずれか１項に記載の画像形成装置。
【請求項６】
前記駆動手段とは、ＤＣモータ、又はＤＣブラシレスモータを含むことを特徴とする請求項１〜５のいずれか１項に記載の画像形成装置。
【請求項７】
複数の像担持体と、複数の前記像担持体の夫々に形成された潜像を現像剤によって現像する複数の現像部材と、複数の前記現像部材と複数の前記像担持体とを選択的に当接及び離間させる第１当接離間手段と、前記像担持体上に現像された画像を転写材に転写するために、該転写材を搬送する搬送手段と、前記搬送手段に対して複数の前記像担持体を選択的に当接及び離間させる第２当接離間手段と、複数の前記像担持体と複数の前記現像部材とを駆動するための複数の駆動手段と、を有する画像形成装置の制御方法であって、
複数の前記像担持体の全てを用いて画像形成する第１画像形成モードと、複数の前記像担持体のうちの１つを用いて画像形成する第２画像形成モードと、を切り替えるモード切り替えステップと、
前記第２画像形成モードに切り替えた際に、前記第１当接離間手段によって、複数の前記現像部材のうち画像形成に用いられない現像部材を像担持体から離間するように制御し、かつ、前記第２当接離間手段によって、全ての前記像担持体を前記搬送手段に当接させるよう制御する制御ステップと、
を有することを特徴とする画像形成装置の制御方法。
【請求項８】
更に、第２画像形成モードに切り替えた際に、前記転写材が所定の種類の転写材であって、かつ、前記装置の設置環境が高温高湿環境である場合に、前記第１当接離間手段によって、全ての前記現像部材を前記像担持体に当接するように制御し、かつ、前記第２当接離間手段によって、全ての前記像担持体を前記搬送手段に当接させるよう制御する制御ステップを有することを特徴とする請求項７に記載の画像形成装置の制御方法。
【請求項９】
更に、前記第１画像形成モードに切り替えた際に、前記第１当接離間手段によって、全ての前記現像部材を前記像担持体に当接するように制御、かつ、前記第２当接離間手段によって、全ての前記像担持体を前記搬送手段に当接させるよう制御することを特徴とする請求項７または８のいずれかに記載の画像形成装置の制御方法。
【請求項１０】
前記第１画像形成モードとは複数色の画像を形成する画像形成モードであって、前記第２画像形成モードとは単色の画像を形成する画像形成モードであることを特徴とする請求項７〜９のいずれか１項に記載の画像形成装置の制御方法。
【請求項１１】
前記第２画像形成モード時の画像形成速度は、前記第１画像形成モード時の画像形成速度よりも速いことを特徴とする請求項７〜１０のいずれか１項に記載の画像形成装置の制御方法。
【手続補正２】
【補正対象書類名】明細書
【補正対象項目名】００１３
【補正方法】変更
【補正の内容】
【００１３】
上記目的を達成するための、本発明の画像形成装置は、複数の像担持体と、複数の前記像担持体の夫々上に形成された潜像を現像剤によって現像するための複数の現像部材と、前記複数の前記現像部材と複数の前記像担持体とを選択的に当接及び離間させる第１当接離間手段と、前記像担持体上に現像された画像を転写材上に転写するために、該前記転写材体を搬送する搬送手段と、前記搬送手段に対してと前記複数の前記像担持体とを選択的に当接及び離間させる第２当接離間手段と、前記複数の前記像担持体と前記複数の前記現像部材とを駆動するための複数の駆動手段と、前記複数の前記像担持体の全てを用いて画像形成する第１画像形成モードと、前記複数の前記像担持体のうちの１つを用いて画像形成する第２画像形成モードと、を切り替える制御手段と、を有し、前記制御手段は、前記第２画像形成モード時に、前記第１当接離間手段によって、前記複数の前記現像部材のうち画像形成に用いられない現像部材を前記像担持体から離間するように制御し、かつ、前記第２当接離間手段によって、全ての前記像担持体を前記搬送手段に当接させるよう制御することを特徴とする。
【手続補正３】
【補正対象書類名】明細書
【補正対象項目名】００１４
【補正方法】変更
【補正の内容】
【００１４】
また、本発明の画像形成装置の制御方法は、複数の像担持体と、複数の前記像担持体の夫々に形成された潜像を現像剤によって現像する複数の現像部材と、複数の前記現像部材と複数の前記像担持体とを選択的に当接及び離間させる第１当接離間手段と、前記像担持体上に現像された画像を転写材に転写するために、該転写材を搬送する搬送手段と、前記搬送手段に対して複数の前記像担持体を選択的に当接及び離間させる第２当接離間手段と、複数の前記像担持体と複数の前記現像部材とを駆動するための複数の駆動手段と、を有する画像形成装置の制御方法であって、
複数の前記像担持体の全てを用いて画像形成する第１画像形成モードと、複数の前記像担持体のうちの１つを用いて画像形成する第２画像形成モードと、を切り替えるモード切り替えステップと、
前記第２画像形成モードに切り替えた際に、前記第１当接離間手段によって、複数の前記現像部材のうち画像形成に用いられない現像部材を像担持体から離間するように制御し、かつ、前記第２当接離間手段によって、全ての前記像担持体を前記搬送手段に当接させるよう制御する制御ステップと、
を有することを特徴とする。